(57)【要約】【課題】浄水吐出口を使い勝手の良い所望の位置に位置させることができ、利便性の向上を図ることができる浄水器を提供すること。【解決手段】濾過材で原水を濾過して浄水吐出口２１より浄水として吐出するカートリッジ部２０と、蛇口１に取り付けられるとともに連結ユニット３０を介してカートリッジ部２０に連結され、供給された原水を原水吐出口１２より吐出、あるいは連結ユニット３０を介してカートリッジ部２０に送出する本体部１０とを備えた浄水器において、連結ユニット３０は、本体部１０からカートリッジ部２０への給水路を構成する可撓性のホースＨと、常態においてはホースＨを内部に収納して自身が介在した状態でカートリッジ部２０を本体部１０に連結させる一方、必要に応じて内部に収納したホースＨが外部に繰り出されることによりカートリッジ部２０が本体部１０から離脱することを許容する収納部材（３１，３２）とを備えたものである。【選択図】図３
2011167637.tif 000002
【特許請求の範囲】
【請求項１】
内部に配設された濾過材で原水を濾過して浄水吐出口より浄水として吐出するカートリッジ部と、
蛇口に取り付けられるとともに連結ユニットを介して前記カートリッジ部に連結され、前記蛇口より供給された原水を自身に設けられた原水吐出口より吐出、あるいは前記連結ユニットを介して前記カートリッジ部に送出する本体部と
を備えた浄水器において、
前記連結ユニットは、
前記本体部から前記カートリッジ部への給水路を構成する可撓性のホース部材と、
常態においては前記ホース部材を内部に収納して自身が介在した状態で前記カートリッジ部を前記本体部に連結させる一方、必要に応じて内部に収納した前記ホース部材が外部に繰り出されることにより前記カートリッジ部が前記本体部から離脱することを許容する収納部材と
を備えたことを特徴とする浄水器。
【請求項２】
前記カートリッジ部を他の部材に固定支持させるための支持部材を備えたことを特徴とする請求項１に記載の浄水器。
【発明の詳細な説明】
【技術分野】
【０００１】
本発明は、浄水器に関し、より詳細には、例えば蛇口より供給された原水をそのまま原水吐出口より吐出、あるいは蛇口より供給された原水を濾過して浄水吐出口より浄水として吐出する浄水器に関するものである。
【背景技術】
【０００２】
従来、蛇口より供給された原水をそのまま吐出、あるいは該蛇口より供給された原水を濾過して浄水として吐出する浄水器として、次のようなものが知られている。例えば、濾過材を内蔵するカートリッジ部と、該カートリッジ部が連結され、自身に内蔵される切換機構が操作されることにより、蛇口より供給された原水を自身に設けられた原水吐出口より吐出、あるいは蛇口より供給された原水をカートリッジ部に送出して該カートリッジ部で濾過させて浄水としてカートリッジ部に設けられた浄水吐出口より吐出させる本体部とを備えたものである。このような浄水器においては、本体部が固定具を介して蛇口に取り付けられた蛇口直結型のものが知られている（例えば、特許文献１参照）。
【先行技術文献】
【特許文献】
【０００３】
【特許文献１】特許第３７１１６００号公報
【発明の概要】
【発明が解決しようとする課題】
【０００４】
ところが、上述した特許文献１に提案されているような浄水器では、浄水吐出口の可動範囲は、蛇口の可動範囲により一義的に決められることになり、浄水吐出口を使い勝手の良い所望の位置に位置させることが困難であり、利便性の良いものとはいえなかった。
【０００５】
本発明は、上記実情に鑑みて、浄水吐出口を使い勝手の良い所望の位置に位置させることができ、利便性の向上を図ることができる浄水器を提供することを目的とする。
【課題を解決するための手段】
【０００６】
上記目的を達成するために、本発明の請求項１に係る浄水器は、内部に配設された濾過材で供給された原水を濾過して浄水吐出口より浄水として吐出するカートリッジ部と、蛇口に取り付けられるとともに連結ユニットを介して前記カートリッジ部に連結され、前記蛇口より供給された原水を自身に設けられた原水吐出口より吐出、あるいは前記連結ユニットを介して前記カートリッジ部に送出する本体部とを備えた浄水器において、前記連結ユニットは、前記本体部から前記カートリッジ部への給水路を構成する可撓性のホース部材と、常態においては前記ホース部材を内部に収納して自身が介在した状態で前記カートリッジ部を前記本体部に連結させる一方、必要に応じて内部に収納した前記ホース部材が外部に繰り出されることにより前記カートリッジ部が前記本体部から離脱することを許容する収納部材とを備えたことを特徴とする。
【０００７】
また、本発明の請求項２に係る浄水器は、上述した請求項１において、前記カートリッジ部を他の部材に固定支持させるための支持部材を備えたことを特徴とする。
【発明の効果】
【０００８】
本発明によれば、連結ユニットを構成する収納部材が、常態においては、本体部からカートリッジ部への給水路を構成する可撓性のホース部材を内部に収納して自身が介在した状態でカートリッジ部を本体部に連結させる一方、必要に応じて内部に収納したホース部材が外部に繰り出されることによりカートリッジ部が本体部から離脱することを許容するので、必要に応じてカートリッジ部を本体部から離脱させることができ、浄水の散水範囲を蛇口の可動範囲に決められることなく拡大させることができる。従って、浄水吐出口を使い勝手の良い所望の位置に位置させることができ、利便性の向上を図ることができるという効果を奏する。
【図面の簡単な説明】
【０００９】
【図１】図１は、本発明の実施の形態である浄水器を示す正面図である。
【図２】図２は、本発明の実施の形態である浄水器の要部の内部構造を破線で示す正面図である。
【図３】図３は、本発明の実施の形態である浄水器の要部の内部構造を分解して示す分解正面図である。
【図４】図４は、図１〜図３に示した本体接続部材を示すものであり、（ａ）が右側面図、（ｂ）が正面側から見た内部構造を示すもので一部をハッチングで示す断面図、（ｃ）が左側面図である。
【図５】図５は、図４に示した本体接続部材の平面図である。
【図６】図６は、図１〜図３に示したカートリッジ接続部材を示すものであり、（ａ）が右側面図、（ｂ）が正面側から見た内部構造を示すもので一部をハッチングで示す断面図、（ｃ）が左側面図である。
【図７】図７は、図１に示したカートリッジ接続部材を本体接続部材から離脱させた状態を示すもので、一部をハッチングして断面で示す正面図である。
【図８】図８は、図１に示したカートリッジ部を調理器具に固定支持させた状態を簡単に示す説明図である。
【図９】図９は、本発明の実施の形態である浄水器の変形例を示すものであり、クリップを備えたカートリッジ部を示す説明図である。
【図１０】図１０は、図９に示したカートリッジ部を調理器具に固定支持させた状態を簡単に示す説明図である。
【発明を実施するための形態】
【００１０】
以下に添付図面を参照して、本発明に係る浄水器の好適な実施の形態について詳細に説明する。
【００１１】
図１〜図３は、それぞれ本発明の実施の形態である浄水器を示すものであり、図１は、正面図であり、図２は、要部の内部構造を破線で示す正面図であり、図３は、要部の内部構造を分解して示す分解正面図である。ここで例示する浄水器は、本体部１０と、カートリッジ部２０と、連結ユニット３０とを備えて構成してある。
【００１２】
本体部１０は、図示せぬリング状ゴムパッキンやキャップ等により蛇口１の先端部に取り付けられたものであり、ボディ１１を有している。ボディ１１の下部には原水吐出口１２が形成してあるとともに、右側部に図示せぬ原水送出口が形成してある。
【００１３】
原水吐出口１２は、蛇口１から供給された原水をそのまま原水として吐出する開口である。この原水吐出口１２の周囲には、原水をシャワー状に吐出する原水シャワー吐出口が設けてあっても良い。原水送出口は、蛇口１から供給された原水をカートリッジ部２０に送出するための開口である。
【００１４】
このような本体部１０のボディ１１内部には、図には明示しないが、切換機構が配設してある。この切換機構の構造は従来公知なものであるためにその詳細な説明は割愛するが、切換機構は、ボディ１１の左側部に配設された切替レバー１３の操作に応じて、蛇口１から供給された原水を原水吐出口１２より吐出させるか、原水送出口よりカートリッジ部２０に送出するかを切り替えるものである。
【００１５】
カートリッジ部２０は、後述する連結ユニット３０を通じて本体部１０の原水送出口に連通しており、該原水送出口を通じて送出された原水を受け入れる原水受入口（図示せず）が配設してある。このカートリッジ部２０の下部には、浄水吐出口２１が形成してある。浄水吐出口２１は、蛇口１から供給された原水を浄化された浄水として吐出する開口である。
【００１６】
このようなカートリッジ部２０の内部には、従来公知のように活性炭等の吸着剤や中空糸膜等の濾過材が配設してあり、原水受入口を通じて受け入れた原水は、濾過材を通過して濾過されて浄化し、浄水として浄水吐出口２１を通じて吐出される。
【００１７】
また、カートリッジ部２０の側部であって、原水受入口の周囲には、連結部２２が配設してある。かかる連結部２２は、その周囲に係合突起片２２１が所定間隔で形成してある。
【００１８】
更に、カートリッジ部２０の側部における下側の所定個所には、フック部材２３が配設してある。フック部材２３は、カートリッジの側部から水平方向に向けて突出する水平延在部２３１と、その水平延在部２３１の延在端部より下方に向けて延在する垂下部２３２とを有してなり、詳細は後述するが、当該カートリッジ部２０を浄水の吐出対象となる調理器具等の他の部材に固定支持させるための支持部材である。
【００１９】
連結ユニット３０は、本体接続部材３１と、カートリッジ接続部材３２と、ホースＨとを備えて構成してある。
【００２０】
本体接続部材３１は、図４にも示すように、左端の開口が円板状の基部３１１に閉塞された円筒形状をなしており、収納部３１２、本体係合部３１３及びホース接続部３１４を備えている。収納部３１２は、基部３１１の内面、すなわち右側面と、円筒状部分の内面とにより囲繞された空間部分である。かかる収納部３１２は、ホースＨを例えば巻回した状態で収納する部分であり、その容積は、ホースＨを収納するのに十分な大きさを有している。また、かかる収納部３１２を構成する円筒状部分の上部には、図４の（ｂ）及び図５に示すように、フック溝３１５が形成してある。
【００２１】
本体係合部３１３は、基部３１１の左側面に配設してあり、本体部１０のボディ１１の右側部といわゆるバヨネット方式で係合するものである。より詳細に説明すると、本体係合部３１３には、基部３１１及びホース接続部３１４とともに、中心域に左右方向に沿って延在する本体接続用水路３１６が構成してある。かかる本体係合部３１３は、本体部１０のボディ１１の右側部に設けられた原水送出口と、自身の本体接続用水路３１６とが水密性を確保した状態で連通するよう該本体部１０とバヨネット方式で係合するものである。
【００２２】
ホース接続部３１４は、基部３１１の右側面の中心域に配設してある。このホース接続部３１４は、基部３１１の右側面から右方に突出する態様で構成された結合部３１４１と、この結合部３１４１から右方に向けて突出する突出部３１４２とを有している。結合部３１４１は、その周面に雄ネジが形成してある。突出部３１４２は、ホースＨの内部に進入するものである。
【００２３】
カートリッジ接続部材３２は、本体接続部材３１よりも外径が大となる円板状の接続本体３２１を有しており、カートリッジ係合部３２２、ホース接続部３２３及びフック３２４を備えている。
【００２４】
カートリッジ係合部３２２は、接続本体３２１の右側面に配設してあり、カートリッジ部２０における連結部２２といわゆるバヨネット方式で係合するものである。より詳細に説明すると、カートリッジ係合部３２２には、ホース接続部３２３とともに、中心域に左右方向に沿って延在するカートリッジ接続用水路３２５が構成してある。図６に示すように、このカートリッジ係合部３２２には円筒状の内面に係合突起爪３２２１が形成してあり、該係合突起爪３２２１と、カートリッジ部２０の連結部２２の係合突起片２２１とが重ならない状態で該連結部２２をカートリッジ係合部３２２の内部に相対的に進入させ、その後にカートリッジ接続部材３２（カートリッジ係合部３２２）をカートリッジ部２０（連結部２２）に対して相対的に約９０°回転させることにより、カートリッジ接続部材３２（カートリッジ係合部３２２）がカートリッジ部２０（連結部２２）から離隔する方向に変位しても係合突起爪３２２１と係合突起片２２１とが当接してカートリッジ係合部３２２が連結部２２から離脱することを規制した状態で係合している。つまり、カートリッジ係合部３２２は、カートリッジ部２０の原水受入口と、自身のカートリッジ接続用水路３２５とが水密性を確保した状態で連通するよう該カートリッジ部２０の連結部２２とバヨネット方式で係合するものである。
【００２５】
ホース接続部３２３は、接続本体３２１の左側面の中心域に配設してある。このホース接続部３２３は、接続本体３２１の左側面から左方に突出する態様で構成された結合部３２３１と、この結合部３２３１から左方に向けて突出する突出部３２３２とを有している。結合部３２３１は、その周面に雄ネジが形成してある。突出部３２３２は、ホースＨの内部に進入するものである。
【００２６】
フック３２４は、接続本体３２１の上縁部に左方に向けて突出する態様で設けてある。このフック３２４は、接続本体３２１から水平に延在する水平延在部３２４１と、その水平延在部３２４１の延在端部より下方に向けて延在する垂下部３２４２とを有してなり、かかる垂下部３２４２が本体接続部材３１のフック溝３１５に進入することにより、カートリッジ接続部材３２が本体接続部材３１と係合可能なものである。
【００２７】
ホースＨは、例えばゴム等の可撓性材料から構成された長尺物であり、本体部１０からカートリッジ部２０への原水の給水路を構成するものである。かかるホースＨは、次のようにして本体接続部材３１及びカートリッジ接続部材３２のそれぞれに取り付けられている。
【００２８】
ホースナットＨＮに通したホースＨの一端の内部に、本体接続部材３１におけるホース接続部３１４の突出部３１４２を相対的に進入させ、その後にホースナットＨＮと結合部３１４１とを螺合させることにより、ホースＨは、本体接続部材３１に取り付けられる。同様にして、ホースナットＨＮに通したホースＨの他端の内部に、カートリッジ接続部材３２におけるホース接続部３２３の突出部３２３２を相対的に進入させ、その後にホースナットＨＮと結合部３２３１とを螺合させることにより、ホースＨは、カートリッジ接続部材３２に取り付けられる。
【００２９】
以上説明したような連結ユニット３０では、カートリッジ接続部材３２のフック３２４の垂下部３２４２を本体接続部材３１のフック溝３１５に進入させて、カートリッジ接続部材３２を本体接続部材３１に係合させることにより、図１及び図２に示すように、該連結ユニット３０（本体接続部材３１及びカートリッジ接続部材３２）が介在させた状態でカートリッジ部２０を本体部１０に連結させることができる。この場合、ホースＨは巻回された態様で本体接続部材３１の収納部３１２に収納されている。
【００３０】
このような連結状態において、浄水器は、次のようにして蛇口１から供給された原水を、原水として、あるいは浄水として吐出することができる。
【００３１】
切替レバー１３が操作されて切換機構が原水吐出口１２から原水を吐出する状態にされた場合、蛇口１から供給された原水を、本体部１０のボディ１１の内部に進入させ、切換機構の所定部位を通過させた後、原水吐出口１２より原水として吐出することができる。
【００３２】
一方、切替レバー１３が操作されて切換機構が原水送出口から原水を送出する状態にされた場合、蛇口１から供給された原水を、本体部１０のボディ１１の内部に進入させ、切換機構の所定部位を通過させた後、原水送出口より送出させる。原水送出口を通じて送出させた原水を、本体接続部材３１における本体接続用水路３１６を通過させた後にホースＨを通過させ、カートリッジ接続部材３２のカートリッジ接続用水路３２５を通過させてから原水受入口を通じてカートリッジ部２０の内部に供給させる。カートリッジ部２０に供給させた原水を濾過材に濾過させて浄化させ、浄水として浄水吐出口２１より吐出することができる。
【００３３】
そして、必要に応じてカートリッジ接続部材３２におけるフック３２４の垂下部３２４２を本体接続部材３１のフック溝３１５から離脱させることにより、本体接続部材３１とカートリッジ接続部材３２との係合状態を解除させ、収納部３１２に巻回された状態のホースＨを外部に繰り出すことで、図７に示すように、カートリッジ部２０を本体部１０から離脱させることができる。
【００３４】
このようにして本体部１０から離脱させたカートリッジ部２０を、図８に示すように、例えば鍋等の調理器具４０の縁４１にフック部材２３で引っ掛けて固定支持させる。そして、蛇口１から供給された原水を本体部１０及び連結ユニット３０を通じてカートリッジ部２０に供給させ、カートリッジ部２０で濾過させて浄水として浄水吐出口２１より吐出させることができる。
【００３５】
つまり、本実施の形態である浄水器においては、必要に応じてカートリッジ部２０を本体部１０から離脱させることができ、浄水の散水範囲を蛇口１の可動範囲に決められることなく、拡大させることができる。
【００３６】
そして、当該浄水器において本体接続部材３１及びカートリッジ接続部材３２は、常態においてはホースＨを内部に収納して自身が介在した状態でカートリッジ部２０を本体部１０に連結させる一方、必要に応じて内部に収納したホースＨが外部に繰り出されることによりカートリッジ部２０が本体部１０から離脱することを許容する収納部材を構成している。
【００３７】
以上説明したように、本実施の形態である浄水器によれば、必要に応じてカートリッジ部２０を本体部１０から離脱させることができ、浄水の散水範囲を蛇口１の可動範囲に決められることなく拡大させることができるので、浄水吐出口２１を使い勝手の良い所望の位置に位置させることができ、利便性の向上を図ることができる。
【００３８】
特に、カートリッジ部２０にはフック部材２３が設けてあり、該フック部材２３により鍋等の調理器具４０の縁４１にカートリッジ部２０を固定支持させることができるので、利用者は常時カートリッジ部２０を保持する必要がなく、利便性を更に向上させることができる。
【００３９】
以上、本発明の好適な実施の形態について説明したが、本発明はこれに限定されることなく、種々の変更を行うことができる。
【００４０】
上述した実施の形態においては、カートリッジ部２０を他の部材（例えば調理器具４０等）に固定支持させるために、フック部材２３を備える浄水器であったが、本発明はこれに限られず、図９及び図１０に示すように、フック部材２３の変わりにクリップＫが配設されたカートリッジ部２０を有する浄水器であっても構わない。このような構成によっても、クリップＫによりカートリッジ部２０を鍋の縁４１に固定支持させることができ、利用者は常時カートリッジ部２０を保持する必要がなく、利便性を更に向上させることができるという作用効果を奏する。
【００４１】
また、上述した実施の形態においては、本体接続部材３１を本体部１０のボディ１１にいわゆるバヨネット方式で係合させ、かつカートリッジ接続部材３２をカートリッジ部２０にバヨネット方式で係合させていたが、本発明では、本体接続部材を本体部のボディに磁力により係合させ、かつカートリッジ接続部材をカートリッジ部に磁力により係合させても構わない。
【産業上の利用可能性】
【００４２】
以上のように、本発明に係る浄水器は、例えば蛇口より供給された原水をそのまま原水吐出口より吐出、あるいは蛇口より供給された原水を濾過して浄水吐出口より浄水として吐出するのに有用である。
【符号の説明】
【００４３】
１  蛇口
１０  本体部
１１  ボディ
１２  原水吐出口
１３  切替レバー
２０  カートリッジ部
２１  浄水吐出口
２２  連結部
２２１  係合突起片
２３  フック部材
２３１  水平延在部
２３２  垂下部
３０  連結ユニット
３１  本体接続部材
３１１  基部
３１２  収納部
３１３  本体係合部
３１４  ホース接続部
３１４１  結合部
３１４２  突出部
３１５  フック溝
３１６  本体接続用水路
３２  カートリッジ接続部材
３２１  接続本体
３２２  カートリッジ係合部
３２２１  係合突起爪
３２３  ホース接続部
３２３１  結合部
３２３２  突出部
３２４  フック
３２４１  水平延在部
３２４２  垂下部
３２５  カートリッジ接続用水路
Ｈ  ホース
ＨＮ  ホースナット
【図１】
2011167637.tif 000003
【図２】
2011167637.tif 000004
【図３】
2011167637.tif 000005
【図４】
2011167637.tif 000006
【図５】
2011167637.tif 000007
【図６】
2011167637.tif 000008
【図７】
2011167637.tif 000009
【図８】
2011167637.tif 000010
【図９】
2011167637.tif 000011
【図１０】
2011167637.tif 000012